(57)【要約】      （修正有）【課題】着物を加工してドレス状にリメイクした着物ドレスや着物を加工してドレスの一部に使用した着物ドレスを提供する。【解決手段】和の伝統的な色合いや文様を洋の文化や流行に融合させて、和の艶やかさが生きたドレスを提供でき、着る機会の無かった着物を再び利用できるようになる。また、着物ドレスを利用することで、日本の伝統文化である着物文化・技術を次世代に残すことができる。【選択図】図１
0003123451.tif 000002
【実用新案登録請求の範囲】
【請求項１】
着物を加工してドレス状にリメイクしたことを特徴とする着物ドレス。
【請求項２】
着物を加工してドレスの一部に使用したことを特徴とする着物ドレス。
【請求項３】
バックリボンを帯結び風に仕立てたことを特徴とする請求項１又は２記載の着物ドレス。
【請求項４】
着物の柄をドレスの見頃全体又は一部に配したことを特徴とする請求項１，２又は３記載の着物ドレス。
【請求項５】
身体とドレスとのズレを防止するための滑止機能を備えたことを特徴とする請求項１，２，３又は４記載の着物ドレス。
【請求項６】
複数種類の柄の中から選択された日本の伝統織物を白無垢風に仕立てたことを特徴とする着物ドレス。
【請求項７】
メモリアルになる文字，数字，マーク等を入れたことを特徴とする請求項６記載の着物ドレス。
【考案の詳細な説明】
【技術分野】
【０００１】
本考案は、ウエディングやパーティーなどで利用されるドレスに関するものであり、詳しくは、和の伝統的な色合いや文様を洋の文化や流行に融合させた着物ドレスに関するものである。
【背景技術】
【０００２】
これまで、「着物」と「ドレス」を主要な要素にした特許文献には、以下のようなものがある。これらの特許文献に開示されている発明・考案は、いずれも「着物」と「ドレス」を兼用できることに特徴を有していたり、ドレス風に着ることができる着物或いは着物風に着ることができるドレスであることに特徴を有している。
【０００３】
【特許文献１】実開昭６１−１５０８０５号公報
【特許文献２】実開昭６２−１０１８１０号公報
【特許文献３】実開昭６３−０３４１０８号公報
【特許文献４】実開平０４−０４８２１０号公報
【特許文献５】実用新案登録第３１１５８８０号公報
【特許文献６】特開２００５−０２３４９０号公報
【考案の開示】
【考案が解決しようとする課題】
【０００４】
これに対して、既に「着物」として利用されていたものをリメイクして「ドレス」として利用する例はこれまでになく、あくまでも「着物」は「着物」のままで利用され、「ドレス」は「ドレス」のままで利用されていた。しかし、生活様式の洋式化に伴い、特に「着物」利用、ひいては「着物」の文化・技術の衰退を招いている。
【０００５】
そして、長年ファッション業界で活躍している本願出願人にあって初めて「着物」を「ドレス」にリメイクすることが提案され、本考案を完成するに至った。また、これまでに「ドレス」の生地として西陣織が使用されることはなく、本願出願人にあって初めて西陣織を「ドレス」に使用することが提案され、本考案を完成するに至った。
【課題を解決するための手段】
【０００６】
本願出願人が完成した考案は、次の通りである。
第１の考案は、着物を加工してドレス状にリメイクしたことを特徴とする着物ドレスである。ここで「着物」には和服全般が含まれるが、その中でも特に振り袖，打ち掛け，帯，留袖，長襦袢，羽織，袴，紋服などが挙げられる（以下に同じ）。
第２の考案は、着物を加工してドレスの一部に使用したことを特徴とする着物ドレスである。
第３の考案は、バックリボンを帯結び風に仕立てたことを特徴とする着物ドレスである。
第４の考案は、着物の柄をドレスの見頃全体又は一部に配したことを特徴とする着物ドレスである。
第５の考案は、身体とドレスとのズレを防止するための滑止機能を備えたことを特徴とする着物ドレスである。
第６の考案は、複数種類の柄の中から選択された日本の伝統織物を白無垢風に仕立てたことを特徴とする着物ドレスである。ここで「日本の伝統織物」とは、例えば、西陣織や佐賀錦などである。
第７の考案は、メモリアルになる文字，数字，マーク等を入れたことを特徴とする着物ドレスである。ここで「メモリアルになる文字，数字，マーク等」とは、氏名，挙式の日付・場所，家紋などである。
【考案の効果】
【０００７】
本考案によれば、次のような効果を有する。
（１）和の伝統的な色合いや文様を洋の文化や流行（フォルムや素材など）に融合させて、和の艶やかさが生きたドレスを提供できる。
（２）着る機会の無かった「着物」を再び利用でき、また、「ドレス」という形で「着物」を引き継いでいくことができる（例えば、母から娘へ）。
（３）着物ドレスを利用することで、日本の伝統文化である着物文化並びに着物の伝統的技術を次世代に残すことができる。
【考案を実施するための最良の形態】
【０００８】
本考案の実施形態を図面に基づいて説明する。
【０００９】
図１は、実際に着物（振り袖）を加工してドレス状にリメイクした着物ドレスを示すものである。振り袖１０はチューリップの絵柄が備えており、このチューリップの絵柄を生かすように着物ドレス１１に加工してドレス状にリメイクされている。
【００１０】
図２は、着物を加工してドレスの一部に使用した着物ドレスを示す。この着物ドレス２０は、赤地に鶴が羽ばたく豪華な文様を生かしたオーバースカートドレスである。スカート（フロント部）２２とバックリボン２４に着物を使用し、その他のトップス２１とスカート（バック部）２３に黒を使用することで、シックな和モダンを引き立てる。
【００１１】
図３は、バックリボンを帯結び風に仕立てた着物ドレスを示す。この着物ドレス３０は、マーメイドドレスに帯結び風に仕立てられたバックリボン３１を備える。
【００１２】
図４及び図５は、着物の柄をドレスの見頃に配した着物ドレスを示す。図４に示す着物ドレス４０は、見頃全体に着物の柄が配され、図５に示す着物ドレス５０は、見頃一部に着物の柄が配されている。両者とも、和の伝統的な色合いや文様を洋の文化や流行に融合されている。
【００１３】
図６は、身体とドレスとのズレを防止するための滑止機能を示す説明図である。符号６０は、着物ドレスのウエスト部の内側部分を示しているが、この内側部分６０にシリコンゴム６１を帯状に配し、これが身体と着物ドレスのズレを防止する滑止機能を果たす。なお、内側部分６０に配すのはシリコンゴムに限らず、滑り止め効果のあるものであれば、それを使用しても良い。
【００１４】
図７は、複数種類の柄の中から選択された日本の伝統織物である西陣織を白無垢風に仕立てた着物ドレスを示す。この着物ドレス７０は、最高の光沢を演出するシルクの白無垢が艶やかな品格を漂わせたドレスに生まれ変わる。また、この着物ドレス７０に、織りや刺繍等でメモリアルになる文字７１（図７部分拡大図）を入れてもよい。なお、文字に限らず数字，マークなどメモリアルになるものであれば何でもよい。
【産業上の利用可能性】
【００１５】
本考案に係る着物ドレスは、ウエディングドレスやパーティドレスとして利用できる他、ドレス着用の場には広く利用できるものである。特に和の演出が求められている場には最適である。
【図面の簡単な説明】
【００１６】
【図１】着物を加工してドレス状にリメイクした着物ドレスを示す説明図。
【図２】着物を加工してドレスの一部に使用した着物ドレスを示す説明図。
【図３】バックリボンを帯結び風に仕立てた着物ドレスを示す説明図。
【図４】着物の柄をドレスの見頃の全体に配した着物ドレスを示す説明図。
【図５】着物の柄をドレスの見頃の一部に配した着物ドレスを示す説明図。
【図６】身体とドレスとのズレを防止するための滑止機能を示す説明図。
【図７】西陣織を白無垢風に仕立てた着物ドレスを示す説明図。
【符号の説明】
【００１７】
１０  振り袖        １１  着物ドレス
２０  着物ドレス    ２１  トップス    ２２  スカート（フロント部）
２３  スカート（バック部）    ２４  バックリボン
３０  着物ドレス    ３１  バックリボン
４０，５０  着物ドレス
６０  内側部分      ６１  シリコンゴム
７０  着物ドレス    ７１  文字
【図１】
0003123451.tif 000003
【図２】
0003123451.tif 000004
【図３】
0003123451.tif 000005
【図４】
0003123451.tif 000006
【図５】
0003123451.tif 000007
【図６】
0003123451.tif 000008
【図７】
0003123451.tif 000009
【手続補正書】
【提出日】平成18年3月29日(2006.3.29)
【手続補正１】
【補正対象書類名】図面
【補正対象項目名】図１
【補正方法】変更
【補正の内容】
【図１】
0003123451.tif 000010
【手続補正２】
【補正対象書類名】図面
【補正対象項目名】図２
【補正方法】変更
【補正の内容】
【図２】
0003123451.tif 000011
【手続補正３】
【補正対象書類名】図面
【補正対象項目名】図３
【補正方法】変更
【補正の内容】
【図３】
0003123451.tif 000012
【手続補正４】
【補正対象書類名】図面
【補正対象項目名】図７
【補正方法】変更
【補正の内容】
【図７】
0003123451.tif 000013
【手続補正書】
【提出日】平成18年5月15日(2006.5.15)
【手続補正１】
【補正対象書類名】図面
【補正対象項目名】図７
【補正方法】変更
【補正の内容】
【図７】
0003123451.tif 000014